(57)【特許請求の範囲】
【請求項１】
第１ラジエータ、第２ラジエータ、および容量性マッチング回路、を含む、複合右手／左手系送信ラインアンテナであって、
前記第１ラジエータは、前記第２ラジエータに対して接続されており、かつ、接続された前記第１ラジエータと前記第２ラジエータは、リング形状であり、
前記マッチング回路は、前記複合右手／左手系送信ラインアンテナのフィードインポイントに対して接続されている、
複合右手／左手系送信ラインアンテナ。
【請求項２】
前記第１ラジエータの第１端は、前記第２ラジエータの第１端に対して接続されており、かつ、
前記第１ラジエータの第２端および前記第２ラジエータの第２端は、グラウンド端として使用される、
請求項１に記載の複合右手／左手系送信ラインアンテナ。
【請求項３】
前記複合右手／左手系送信ラインアンテナは、さらに、
高周波数スプリッタ、を含み、
前記高周波数スプリッタは、前記複合右手／左手系送信ラインアンテナに対して接続されている、
請求項１または２に記載の複合右手／左手系送信ラインアンテナ。
【請求項４】
前記第１ラジエータおよび前記第２ラジエータは、同じ長さである、
請求項１乃至３いずれか一項に記載の複合右手／左手系送信ラインアンテナ。
【請求項５】
前記マッチング回路は、インダクタとキャパシタの直列組み合せ、または、インダクタとキャパシタの並列組み合せ、のうち少なくとも一つを含む、
請求項１乃至４いずれか一項に記載の複合右手／左手系送信ラインアンテナ。
【請求項６】
前記第１ラジエータまたは前記第２ラジエータは、モバイルターミナルのハウジングの一部分である、
請求項１乃至５いずれか一項に記載の複合右手／左手系送信ラインアンテナ。
【発明の詳細な説明】
【技術分野】
【０００１】
本発明は、通信技術の分野に関する。そして、より特定的には、複合右手／左手系送信ラインアンテナに関する。
【背景技術】
【０００２】
複合右手／左手系（ｃｏｍｐｓｉｔｅ  ｒｉｇｈｔ／ｌｅｆｔ−ｈａｎｄｅｄ）送信ラインアンテナは、モバイルフォンといったモバイルターミナルにおいて使用され得る。既存の一般的な複合右手／左手系送信ラインアンテナの一つの構成例が図１に示されており、ラジエータ（ｒａｄｉａｔｏｒ）とマッチング回路を含んでいる。マッチング回路は、一般的には、動作周波数帯において容量性（ｃａｐａｃｉｔｉｖｅ）であり（マッチング回路の容量性特性を示すためにキャパシタＣ２が使用されている）、そして、マッチング回路は、送信ラインのフィードイン（ｆｅｅｄ−ｉｎ）ポイント（ポイントａ）に対して接続されている
【０００３】
４Ｇ技術のアプリケーションのせいで、より高い周波数帯を伴うアンテナが必要とされ、現在の４Ｇモバイルフォンは、１ダースまたは複数のダースもの周波数帯を必要とする。従って、より高い周波数帯を伴う複合右手／左手系送信ラインアンテナが必要とされる。
【発明の概要】
【０００４】
この観点において、本発明に係る実施例の目的は、より高い周波数帯を提供するように、複合右手／左手系送信ラインアンテナを提供することである。
【０００５】
目的を達成するために、本発明に係る実施例において、以下の技術的ソリューションが提供される。
【０００６】
本発明に係る実施例の第１の態様に従って、第１ラジエータ、第２ラジエータ、および容量性マッチング回路を含む、複合右手／左手系送信ラインアンテナが提供される。
ここで、第１ラジエータは第２ラジエータに対して接続されており、かつ、接続された第１ラジエータと第２ラジエータはリング形状である。そして、
マッチング回路は、第１ラジエータまたは第２ラジエータのフィードインポイントに対して接続されている。
【０００７】
第１の態様に関して、第１の可能な実施方法において、複合右手／左手系送信ラインアンテナは、さらに、高周波数スプリッタを含む。
【０００８】
第１の態様に係る第１の可能な実施方法に関して、第２の可能な実施方法において、高周波数スプリッタは、第１ラジエータまたは第２ラジエータに対して接続されている。
【０００９】
第１の態様、第１の態様に係る第１の可能な実施方法、または第１の態様に係る第２の可能な実施方法に関して、第３の可能な実施方法において、第１ラジエータの第１端は第２ラジエータの第１端に対して接続されており、かつ、第１ラジエータの第２端および第２ラジエータの第２端はグラウンド端として使用される。
【００１０】
第１の態様、第１の態様に係る第１の可能な実施方法、第１の態様に係る第２の可能な実施方法、または第１の態様に係る第３の可能な実施方法に関して、第４の可能な実施方法において、第１ラジエータおよび第２ラジエータは同じ長さである。
【００１１】
第１の態様、第１の態様に係る第１の可能な実施方法、第１の態様に係る第２の可能な実施方法、第１の態様に係る第３の可能な実施方法、または第１の態様に係る第４の可能な実施方法に関して、第５の可能な実施方法において、マッチング回路は、インダクタとキャパシタの直列組み合せ、または、インダクタとキャパシタの並列組み合せのうち少なくとも一つを含む。
【００１２】
第１の態様、第１の態様に係る第１の可能な実施方法、第１の態様に係る第２の可能な実施方法、第１の態様に係る第３の可能な実施方法、第１の態様に係る第４の可能な実施方法、または第１の態様に係る第５の可能な実施方法に関して、第６の可能な実施方法において、第１ラジエータまたは第２ラジエータはモバイルターミナルの一部分である。
【００１３】
一般的な複合右手／左手系送信ラインアンテナと比較して、本発明に係る実施例における複合右手／左手系送信ラインアンテナは、追加的に一つのラジエータを備え、そして、２つのラジエータが一つのリングアンテナを形成する。リングアンテナのより広い放射領域（ｒａｄｉａｔｉｏｎ  ａｒｅａ）のおかげで、既存の一般的な複合右手／左手系送信ラインアンテナよりも高い周波数帯が生成され得る。そして、４Ｇ技術の周波数帯要求が満足される。
【図面の簡単な説明】
【００１４】
本発明の実施例における技術的ソリューションをより明確に説明するために、以降に、実施例または従来技術を説明するのに必要な添付の図面を簡単に紹介する。明らかに、以降の説明における添付の図面は、本発明のいくつかの実施例を単に示すものであり、そして、当業者であれば、創造的な努力をすることなく、これらの添付図面から他の図面でさえ引き出すことができるだろう。
【図１】図１は、一般的な複合右手／左手系送信ラインアンテナの構造的ダイヤグラムの一例である。
【図２】図２は、図１に示された一般的な複合右手／左手系送信ラインアンテナの等価回路のモデルダイヤグラムである。
【図３】図３は、本発明の実施例に従った複合右手／左手系送信ラインアンテナの構造的ダイヤグラムの一つの例である。
【図４】図４は、図３に示されたアンテナの等価回路のモデルダイヤグラムである。
【図５】図５は、本発明の実施例に従った複合右手／左手系送信ラインアンテナの構造的ダイヤグラムの別の例である。
【図６】図６は、一般的な複合右手／左手系送信ラインアンテナの反射損失（ｒｅｔｕｒｎ  ｌｏｓｓ）のダイヤグラムである。
【図７】図７は、本発明の一つの実施例に従った複合右手／左手系送信ラインアンテナの反射損失のダイヤグラムである。
【図８】図８は、本発明の一つの実施例に従ったアンテナシステム効率の比較ダイヤグラムである。
【図９】図９は、一般的な複合右手／左手系送信ラインアンテナを備えるモバイルターミナルに係る角度つき３次元ダイヤグラムである。
【図１０】図１０は、本発明の一つの実施例に従った複合右手／左手系送信ラインアンテナを備えるモバイルターミナルに係る角度つき３次元ダイヤグラムである。
【発明を実施するための形態】
【００１５】
以降に、本発明の実施例における添付の実施例に関して、本発明の実施例における技術的ソリューションを明確かつ完全に説明する。明らかに、説明される実施例は、本発明の全てではなく、むしろ単にいくらかのものである。創造的な努力をすることなく本発明の実施例に基づいて当業者が獲得した全ての他の実施は、本発明の保護範囲内にあるべきものである。
【００１６】
図１に示された既存の一般的な複合右手／左手系送信ラインアンテナに対応する等価回路のモデルについては、図２を参照する。
【００１７】
図１におけるラジエータのグラウンドポイント（ポイントｃ）からポイントｂへの等価インダクタ（ｉｎｄｕｃｔｏｒ）は、Ｌ２によって表現され、ラジエータのグラウンドポイント（ポイントｃ）からポイントａへの等価インダクタは、Ｌ１によって表現され、そして、空気の等価キャパシタ（ｃａｐａｃｉｔｏｒ）は、Ｃ１によって表現され得る。
【００１８】
Ｌ１、Ｌ２、Ｃ１、およびＣ２は、図２において右手／左手系モードを形成し、そして、Ｌ２とＣ１は、右手系モード（ｒｉｇｈｔ−ｈａｎｄｅｄ  ｍｏｄｅ）に適応するアンテナ共振を形成する。
【００１９】
本発明の実施例は、より高い周波数帯を伴う複合右手／左手系送信ラインアンテナを提供する。
【００２０】
図３は、前述の複合右手／左手系送信ラインアンテナの構造的ダイヤグラムの一つの例である。複合右手／左手系送信ラインアンテナは、第１ラジエータＡ、第２ラジエータＢ、および容量性マッチング回路を含んでよい。ここにおいて、容量性（ｃａｐａｃｉｔｉｖｅ）は、動作周波数帯において一般的な容量性であることを特定的に参照してよい。
【００２１】
マッチング回路の等価キャパシタは、Ｃ３によって表現され得る。
【００２２】
第１ラジエータＡは、第２ラジエータＢに対して接続されており、そして、接続された第１ラジエータＡと第２ラジエータＢは、リング形状である。つまり、第１ラジエータＡと第２ラジエータＢは、リングアンテナを形成する。
【００２３】
マッチング回路は、第１ラジエータＡまたは第２ラジエータＢのフィードインポイントに対して接続されてよい（図３に示されるように、マッチング回路は、第２ラジエータＢのフィードインポイントａに対して接続されている）。
【００２４】
より特定的に、全ての前述の実施例において、第１ラジエータＡの第１端は、第２ラジエータＢの第１端に対して接続されており、そして、第１ラジエータＡの第２端（ｄ）および第２ラジエータＢの第２端（ｃ）は、グラウンド端として使用されている。端ｄから端ｃまでが、リングアンテナを形成している。
【００２５】
本発明の別の実施例において、容量性マッチング回路は、インダクタとキャパシタの直列組み合せ、または、インダクタとキャパシタの並列組み合せを含んでよく、もしくは、インダクタとキャパシタの直列組み合せ及びインダクタとキャパシタの並列組み合せの両方を含んでよい。
【００２６】
本発明の別の実施例において、全ての前述の実施例における第１ラジエータＡと第２ラジエータＢの長さは、同じであってよく、または、異なってもよい。
【００２７】
図３において、第１ラジエータＡと第２ラジエータＢによって形成されたリングアンテナは、右手系送信ラインモデルの規則（ｒｕｌｅ）を満たしている。Ｃ３および第１ラジエータＡと第２ラジエータＢの並列接続に係る等価インダクタは、左手系送信ラインモデルの規則を満たしている。図３に示された複合右手／左手系送信ラインアンテナに対応する等価回路のモデルについては、図４を参照する。
【００２８】
図３において、第１ラジエータＡのグラウンドポイント（端ｄ）からポイントａまでの等価インダクタはＬｄａによって表現され、ポイントａ（フィードインポイント）から第２インダクタＢのグラウンドポイント（端ｃ）までの等価インダクタはＬａｃによって表現され、ＬｄａとＬａｃの並列接続の等価インダクタはＬ３によって表現され、そして、図３における２つのラジエータ（端ｄから端ｃまで）の等価インダクタはＬ４によって表現され得る、ことに留意すべきである。
【００２９】
Ｌ４、Ｌ３、Ｃ１、およびＣ３は、図４において右手／左手系モードを形成する。Ｌ４とＣ１は、右手系モードに適応するアンテナ共振を形成する。右手系モードにおいては、空気の誘電率が固定されているので、右手系モードにおける動作波長は、端ｄから端ｃまでの寸法だけに関連するものであり、そして、右手系モードは、固有モード（ｎａｔｕｒａｌ  ｍｏｄｅ）である。
【００３０】
本発明の別の実施例において、図５を参照すると、必要性に応じて、前述の複合右手／左手系送信ラインアンテナは、さらに、高周波数スプリッタＥを含んでよい。
【００３１】
より特定的に、高周波数スプリッタＥは、第１送信ラインＡまたは第２送信ラインＢに対して接続されてよい。
【００３２】
本発明に係る全ての前述の実施例において提供されるアンテナの構造は、また、右手／左手系モードにも適応することが分かり得る。一般的な複合右手／左手系送信ラインアンテナと比較して、本発明の実施例における複合右手／左手系送信ラインアンテナは、追加的に一つのラジエータを備え、そして、２つのラジエータが一つのリングアンテナを形成している。リングアンテナのより広い放射領域のおかげで、既存の一般的な複合右手／左手系送信ラインアンテナよりも高い周波数帯が生成され得る。そして、４Ｇ技術の周波数帯要求が満足される。
【００３３】
図６と図７を参照すると、図６は、一般的な複合右手／左手系送信ラインアンテナの反射損失のダイヤグラムであり、そして、図７は、本発明の一つの実施例に従った複合右手／左手系送信ラインアンテナの反射損失である。本発明に係るこの実施例において提供される複合右手／左手系送信ラインアンテナの高周波数帯は、既存の一般的な複合右手／左手系送信ラインアンテナの高周波数帯よりも明らかに高いことが、明確に分かり得る。
【００３４】
加えて、図８において示される、アンテナシステム効率の比較ダイヤグラムを参照すると、利用可能な周波数帯（８８０ＭＨｚから９６０ＭＨｚまで、および１７６０ＭＨｚから２６９０ＭＨｚまで）において、本発明に係るこの実施例において提供される複合右手／左手系送信ラインアンテナのシステム効率は、既存の一般的な複合右手／左手系送信ラインアンテナよりも基本的に高い。
【００３５】
本発明に係るこの実施例において提供される複合右手／左手系送信ラインアンテナは、周波数帯に関すること又はアンテナ効率に関することを問わず、一般的な複合右手／左手系送信ラインアンテナより優れていることが分かり得る。
【００３６】
前述の複合右手／左手系送信ラインアンテナは、モバイルターミナルにおいて様々な形式においてインストールされ得る。例えば、第１ラジエータＡ（または第２ラジエータＢ）は、モバイルターミナルのハウジング（ベゼル）の一部であってよく、そして、別の部分は、ハウジングの内側に、または、モバイルターミナルの背面に配置されてよい。
【００３７】
この場合、図９と図１０が比較される。図９は、一般的な複合右手／左手系送信ラインアンテナを備えるモバイルターミナルに係る角度つき３次元ダイヤグラムであり、そして、図１０は、本発明の一つの実施例に従った複合右手／左手系送信ラインアンテナを備えるモバイルターミナルに係る角度つき３次元ダイヤグラムである。
【００３８】
図９における黒い部分は、一般的な複合右手／左手系送信ラインアンテナの放射領域を表しており、そして、図１０における黒い部分は、本発明に係るこの実施例において提供される複合右手／左手系送信ラインアンテナの放射領域を表している。図９と比較すると、図１０においては、モバイルターミナルの背面に対して放射領域が追加されていることが分かり得る。アンテナの全放射領域を概ね２倍にしており、そして、最大放射領域はより大きい。
【００３９】
追加的なヘッドハンド（ｈｅａｄ−ｈａｎｄ）試験が、本発明に係るこの実施例に従った複合右手／左手系送信ラインアンテナを使用しているモバイルターミナルは、より良好な送信効果と、より長い通信距離を有することを示している。加えて、モバイルターミナルの背面は実用上で最も効率的な放射ゾーンなので、モバイルターミナルは、長い持続期間の通信の後でさえも、熱くなりにくい。
【００４０】
この明細書における実施例は、プログレッシブ（ｐｒｏｇｒｅｓｓｉｖｅ）なやり方で全てが説明されており、実施例における同一または類似の部分については、これらの実施例が参照されてよい。そして、それぞれの実施例は、他の実施例との違いに焦点を合わせている。
【００４１】
この明細書において、第１（ｆｉｒｓｔ）および第２（ｓｅｃｏｎｄ）といった関係語は、一つのエンティティまたはオペレーションを別のものと区別するためだけに使用されており、そして、あらゆる実際の関連性またはシーケンスがこれらのエンティティまたはオペレーション間に存在することを必ずしも要求し、または、意味するものではない、ことにさらに留意すべきである。加えて、用語「含む（”ｉｎｃｌｕｄｅ”）」、「有する（”ｃｏｍｐｒｉｓｅ”）」、または、あらゆる他のそれらの変形は、排他的でない包含（ｉｎｃｌｕｓｉｏｎ）をカバーするように意図されたものである。一連のエレメントを含む複合右手／左手系送信ラインアンテナが、そうしたエレメントを含むだけでなく、明示的には挙げられていない他のエレメントをも含み、もしくは、さらに、複合右手／左手系送信ラインアンテナに固有のエレメントを含むようにである。「一つの・・・を含む（”ｉｎｃｌｕｄｅｓ  ａ  ・・・”）」によって先行されたエレメントは、より多くの制約なく、そのエレメントを含む複合右手／左手系送信ラインアンテナにおける追加的な同じエレメントの存在を排除するものではない。
【００４２】
提供された実施例は、当業者が本発明を実施または使用できるようにするために説明されている。実施例に対する様々な変更が当業者にとっては明らかであり、そして、この明細書において定められた一般的な原則は、本発明の範囲から逸脱することなく、他の実施例において実装され得る。従って、本発明は、この明細書において捏明確になりました。された実施例に限定されるものではなく、この明細書において提供される原則および新規性に適合する最も広い範囲まで拡大するものである。
【図１】
0006321290.tif 000002
【図２】
0006321290.tif 000003
【図３】
0006321290.tif 000004
【図４】
0006321290.tif 000005
【図５】
0006321290.tif 000006
【図６】
0006321290.tif 000007
【図７】
0006321290.tif 000008
【図８】
0006321290.tif 000009
【図９】
0006321290.tif 000010
【図１０】
0006321290.tif 000011